(57)【特許請求の範囲】
【請求項１】
施工機本体側に、移動局ＧＰＳを所定長移動可能に設置すると共に、前記施工機にジャイロを搭載し、
施工機を次打設目標位置に移動させる前に、前記ＧＰＳを所定長移動させ各行程端における移動局ＧＰＳ座標を計測して、前記施工機の現在位置と方位とを検出し、
当該検出値を基準にして施工機の移動方位の変化角を前記ジャイロに基づいて求め、前記施工機を次打設目標位置に誘導することを特徴とする
ＧＰＳを用いた地盤改良施工機の位置決め、誘導システム。
【請求項２】
施工機本体側に、移動局ＧＰＳを所定長移動可能に設置すると共に、
前記ＧＰＳを数秒間隔毎に所定長の一行程作動させて、その一行程毎に各行程端における前記移動局ＧＰＳ座標を計測して、その時々における前記施工機の現在位置と方位とを検出し、
当該検出値を基準にして施工機の移動方位を修正し、前記施工機を次打設目標位置に誘導することを特徴とする
ＧＰＳを用いた地盤改良施工機の位置決め、誘導システム。
【請求項３】
リーダー上端部適所に、ほぼ水平面内において直線に沿い所定長さ往復移動を可能にした移動局ＧＰＳを設置し、前記ＧＰＳの往復動行程の一方端をアタッチメントの吊りセンターの延長線上に一致させることよりなる
請求項１または２記載のＧＰＳを用いた地盤改良施工機の位置決め、誘導システム。
【発明の詳細な説明】
【０００１】
【発明の属する技術分野】
本発明は、ＧＰＳによる地盤改良施工機の位置決め、もしくは誘導システムに関する。
【０００２】
【従来の技術】
地盤改良装置、既製杭の貫入装置などを用い地盤中に各種砂杭を打設・造成する砂杭造成法とか、地盤に固化材を混合、撹拌してパイルを造成する固化工法、既製コンクリート杭、鋼管杭を貫入するとか、遮水板の貫入などの基礎強化工法において、改良計画に従って順次、地盤中に造成装置、掘削軸などを打設するのに、従来、一対の移動局ＧＰＳを施工機に搭載して、造成装置の中心とこれら移動局ＧＰＳとの相互位置をあらかじめ計測しておいて、施工に当り、各移動局ＧＰＳの座標位置を計測することにより造成装置の現在位置、施工機の方位を確認し、計画図上の打設予定位置に精度よく、かつ、効率的に前記施工機を誘導することが行なわれていた。
【０００３】
したがって、この種の工法においては従来、一台の施工機につき少なくとも２台の移動局ＧＰＳを設備することが必要であったが、高価格な移動局ＧＰＳを一つの装置に複数台設備することは多額な設備費を要し、固定費が嵩んで必ずしも得策とはいえなかった。
【０００４】
【発明が解決しようとする課題】
ところが、一つの移動局ＧＰＳを前記施工機に搭載するだけ、もしくは当該Ｇ移動局ＰＳに補助手段を併設するだけで、従来工法同様、造成装置（ここでは、施工機に対し、地盤に貫入・抜出する「打設軸・管」などを含む上下方向に移動可能な部材・装置をいう。）を精度よく、かつ、効果的に計画図上の打設予定位置に誘導することができ得るシステムが開発可能であることが判った。
そこで、本発明は、従来工法に内在する上記諸問題を解消すると共に、誘導機能、精度を落とすことなく可及的に簡単、経済的に設備、運用することができる移動局ＧＰＳを用いた地盤改良施工機の位置決め、誘導システムを提供することを目的とする。
【０００５】
【課題を解決するための手段】
本発明は、上記目的を達成するため、次ぎに述べるとおりの各構成要件からなる。
（１）施工機本体側に、移動局ＧＰＳを所定長移動可能に設置すると共に、前記施工機にジャイロを搭載し、
施工機を次打設目標位置に移動させる前に、前記ＧＰＳを所定長移動させ各行程端における移動局ＧＰＳ座標を計測して、前記施工機の現在位置と方位とを検出し、
当該検出値を基準にして施工機の移動方位の変化角を前記ジャイロに基づいて求め、前記施工機を次打設目標位置に誘導することを特徴とする
ＧＰＳを用いた地盤改良施工機の位置決め、誘導システム。
【０００６】
（２）施工機本体側に、移動局ＧＰＳを所定長移動可能に設置すると共に、
前記ＧＰＳを数秒間隔毎に所定長の一行程作動させて、その一行程毎に各行程端における前記移動局ＧＰＳ座標を計測して、その時々における前記施工機の現在位置と方位とを検出し、
当該検出値を基準にして施工機の移動方位を修正し、前記施工機を次打設目標位置に誘導することを特徴とする
ＧＰＳを用いた地盤改良施工機の位置決め、誘導システム。
【０００７】
（３）リーダー上端部適所に、ほぼ水平面内において直線に沿い所定長さ往復移動を可能にした移動局ＧＰＳを設置し、前記ＧＰＳの往復動行程の一方端をアタッチメントの吊りセンターの延長線上に一致させることよりなる
上記第（１）項または（２）項記載のＧＰＳを用いた地盤改良施工機の位置決め、誘導システム。
【０００８】
【発明の実施の形態】
地盤に貫入する打設軸・管等の造成装置を有する施工機（リーダーを含む施工車両）に移動局ＧＰＳと付帯設備とを設置し、それら検出値から施工機全体の方位、移動状況を検出・把握し、これを施工管理指標とする。
【０００９】
【実施例】
図１は、本発明システムの好ましい一実施例（「実施例１」という）の概略側面図、要部平面図を示し、図１（ａ）中、走行装置１上には運転・操作室を有する施工車両本体２を、前側には垂直方向に立つリーダー３の下端部を支承する軸受部材を、それぞれ設備している。施工車両本体２には、そのほぼ中心部にジャイロ４を搭載し、前側に設けた造成装置６をリーダー３に沿って上下方向に移動可能としている。図示してはないが、前記リーダー３の上部と施工車両本体２の後部との間には、長さの調節が可能な一対のステーが架け渡してあってリーダー３の垂直性を保持し、もしくは角度調整するようにされている。
【００１０】
リーダー３の上端部には、笠木５を水平、かつ施工車両本体２のセンター方向に沿って設けてあり、この実施例１では、前記笠木５の下側前面に吊下される造成装置６に上端を連結する打設軸・管７が、リーダー３に並行して配置されている。
造成装置６は、笠木５に軸受けされたプーリーにワイヤーを介して吊下され、前記ワイヤーの他端を施工車両本体２に搭載した巻取りドラムに連結して、前記ドラムの操作によって造成装置６及び打設軸・管７をリーダー３に沿って上下動させ、前記軸・管を地盤中に貫入、抜き出すようにしている。
造成装置６は、たとえば、回転駆動装置であったり、バイブロハンマーであったりする。
【００１１】
図１（ｂ）は、リーダー３の上端部に設けた笠木５の平面図であって、前記笠木５の上側面に、先端に移動局ＧＰＳ８を取り付けたエアシリンダー９を設け、前記エアシリンダー９を操作させることによりＧＰＳ８を笠木５の前後中心線方向、直線上に１ｍの行程だけ往復移動できるようにしている。
その際、エアシリンダー９を伸ばした側の行程端の移動局ＧＰＳ８の位置Ａが、前記造成装置６及び打設軸・管７を貫く中心軸の延長線上、すなわち、アタッチメントの吊りセンター上にあるように相互位置を定めている。
【００１２】
尤も、前記エアシリンダー９を伸ばした側の行程端のＧＰＳ８の位置Ａと、アタッチメントの吊りセンターとの相互位置関係は、必ずしも、上述に限られることではなく、要するに、移動局ＧＰＳ８の移動方向、始端もしくは終了端位置とアタッチメントの吊りセンターとの相互位置関係とが予め定まっていれば、当該既知の関係数値を検出データに付加するだけで、上述と同一の結果を得ることができることは明らかである。
また、移動局ＧＰＳ８をリーダー３の上端部の笠木５の上側面に配置したことは、実用上、可及的にＧＰＳ８の受信を妨げる恐れのある障害物が少ない位置を選択したに過ぎない。
次に、操作方法について説明する。
【００１３】
図２を参照して、図は、地盤改良施工機の方位の求め方、誘導の手段を示す模式図であって、座標軸Ｎ−Ｅは、北−東軸により示される地盤改良領域の地表面を表わしている。
▲１▼    施工機を次の打設予定位置に移動させる前にエアシリンダー９を伸縮して、移動局ＧＰＳ８を移動させる。
▲２▼    シリンダー９の伸縮の開始（原）点Ｂ、終了（伸長）点Ａにおいてそれぞれ前記ＧＰＳ８の座標を計測して、その時のリーダー及び施工機の現在位置並びに方位を求める。
【００１４】
図中、Ｂ（Ｘ０，Ｙ０）は、エアシリンダー９を行程の開始点にセットしたとき求められたＧＰＳ８の座標位置、Ａ（Ｘ１，Ｙ１）は、エアシリンダー９を伸長して終了点Ａにセットしたとき、すなわち、移動局ＧＰＳ８の位置がアタッチメントの吊りセンターの上にあるときのＧＰＳ８の座標位置である（本実施例では、説明を簡略化するため、ＧＰＳ８の位置Ａ（伸長終了点）が、アタッチメントの吊りセンター上にあるとしたが、それ以外の場合でも成立することは、さきに述べた。）。
Ｂ（Ｘ０，Ｙ０）−Ａ（Ｘ１，Ｙ１）方向が、打設点（Ｘ１，Ｙ１）位置における施工機全体の方位を示す。
【００１５】
▲３▼    求められた方位を基準にして、その後は施工機の変化角度をジャイロから求め、次の目標打設位置に対する前記施工機の移動方位を計算する。
▲４▼    １台の移動局ＧＰＳ８の座標と施工機の移動方位とから、次の目標打設位置までのズレ量を計算して、オペレータに指示する。
【００１６】
精度
▲１▼    移動局ＧＰＳによる方位計測とジャイロの精度とによって決まる。
短時間の移動であれば、ジャイロ４のドリフトを無視することができる。
▲２▼    本実施例の位置決め、誘導システムの方位検出手段によれば、目標位置に近付く程に、誘導誤差を少なくすることができる。
本実施例システムでは、移動局ＧＰＳ８を一台装備するだけで済むから、従来装置に比較して機械装置費がジャイロを含めて１／２近くまで低減する。
ただし、上記費用にはＧＰＳ固定局の設備費は含まない。
【００１７】
移動局ＧＰＳ８とジャイロ４とによる位置決め、誘導システムをさらに簡素化すると、移動局ＧＰＳ１台で、誘導・位置決めを行なうことができる。
すなわち、施工機に搭載した移動局ＧＰＳ８を数秒サイクルで間歇的に往復作動させて、各行程端ごとのＧＰＳの座標値を計測することにより、その時々における前記施工機の位置、方位を求め、誘導ズレ量を計算する手法を開発した。
【００１８】
図３は、本発明システムの好ましい他の実施例（「実施例２」という）の概略側面図、要部平面図を示し、図中、実施例１について説明した場合と同一符号を付した部材は、実施例１のそれと同一である。また、各部材の組付け位置関係、エアシリンダー９の行程長も、実施例１のそれと変わりはない。
ただし、実施例２では、ジャイロは不要である。
その代わりに、笠木５上に設置したエアシリンダー９を数秒間隔で間歇的に往復作動させ、その行程端毎に、その都度ＧＰＳ８の座標を検出するようにして、その時々の施工機の位置、方位を計測する。
ここで、さきにも述べたとおり、施工機本体に搭載した移動局ＧＰＳ８位置は、必ずしもリーダーの笠木５上に設置することを要しない。
【００１９】
図４（ａ）は、施工機の位置、方位を計測する手順を示したもので、図中、ｘ軸は時間の経過〔図４（ｂ），（ｃ）も同じ〕を表わし、軸上のＡ０，Ｂ１，Ａ１，Ｂ２……は、それぞれ移動局ＧＰＳ位置を示す信号である。移動局ＧＰＳがエアシリンダー９の行程の開始点Ｂまたは終了点Ａにあるときにスィッチを作動させて、前記ＧＰＳの現在位置を示す必要がある。本実施例では、移動局ＧＰＳ８がＡ０位置からＢ１位置に移動する時間は１．５秒で、この時間はシリンダー９の伸縮に要する時間である。ＧＰＳ８がＡ０位置を占めている間、たとえば、０．５秒の間にＧＰＳデータを複数個取り込み、その値を平均化して、Ａ０座標を検出する。
【００２０】
たとえば、間歇的に２秒間隔でエアシリンダー９を伸縮移動させ、移動局ＧＰＳ８を開始点Ｂまたは終了点Ａ位置にそれぞれ０．５秒間停止させて、その都度、各行程端における移動局ＧＰＳ位置データを複数個取り込み、その値を平均化して、その時点における施工機の位置を、一行程により方位を計測する。
図４（ｂ）は、移動局ＧＰＳ８が、それぞれＡ０，Ｂ１，Ａ１……にある時々の各移動局ＧＰＳ８の位置データの読み込みサイクルを示している。
移動局ＧＰＳ８がＢ１  に位置することを示す信号が入力してから０．５秒間にＧＰＳ８が取り込む複数個の位置データを平均化した値が（Ｘ０，Ｙ０）であることを表示している。
図４（ｃ）は、目標に対するズレ量の表示サイクルを示すもので、たとえば、２秒間隔でズレ表示の基準位置を変えるようにすれば、移動局ＧＰＳ位置、方位の計測の手続中、シリンダー９の伸縮時間を無駄にすることなく誘導効果を高めることができる。
【００２１】
図４（ｄ）は、エアシリンダー９の作動とＧＰＳ位置データとの関係を示した模式図で、施工機の現在位置と方位を例示するもの、Ｂ１（Ｘ０，Ｙ０）は、エアシリンダー８の行程開始点Ｂを移動局ＧＰＳが占めていたときのＧＰＳデータによる座標位置計測、Ａ１（Ｘ１，Ｙ１）は、エアシリンダー９の行程終了点Ａ、すなわち、吊りセンター位置を移動局ＧＰＳが占めていたときのＧＰＳデータによる座標を示すものであって、線Ａ１−Ｂ１方向が前記施工機の方位を、
点Ａ１座標が施工機の現在位置を示している。
これらの表示から目標位置とのズレ量が判る。施工機を移動させる傍ら、本実施例では、２秒毎に新たに移動後の位置と線Ａ１−Ｂ１情報が表示されるから、当該情報に基づいて施工機と目標位置とのズレ量を計算し、施工機を誘導する。
その際の誘導精度は、実施例１の場合と大差は無い。
【００２２】
【発明の効果】
以上説明したように本発明システムは、従来システムに劣らぬ誘導精度を保ちながら、移動局ＧＰＳの使用台数を減らし、システムの設備費を低減することができる。
また、リーダー頂部吊りセンターにＧＰＳを配置したときは、位置計測、誘導の精度を向上させることができる。
など、従来使用されているシステムでは期待することができない、格別の作用、効果を奏するものとなる。
【図面の簡単な説明】
【図１】本発明システムの好ましい一実施例の概略側面図及び要部平面図を示す。
【図２】本発明システムにおける施工機の方位検出とジャイロ検出角度との関係を示す模式図、施工機の位置、方位を表わす。
【図３】本発明システムの好ましい他の実施例の概略側面図、要部平面図を示す。
【図４】施工機の位置、方位を計測する手順を表示した模式図、施工機の現在位置と方位を例示する。
【符号の説明】
１    走行装置
２    施工機本体
３    リーダー
４    ジャイロ
５    笠木
６    造成装置
７    打設軸（管）
８    移動局ＧＰＳ
９    エアシリンダー
【図１】
0003569167.tif 000002
【図２】
0003569167.tif 000003
【図３】
0003569167.tif 000004
【図４】
0003569167.tif 000005